(57)【特許請求の範囲】
【請求項１】
シートバックをシートクッション上に前倒し可能とされたシート本体と、
前記シートクッションを車体床部に対してシート前後方向にスライドさせるための左右一対のスライドレールと、
前記一対のスライドレール間に架け渡された架設部材と、
前記架設部材に取り付けられると共に、前記シートクッションと連結され、前記シートバックが前倒しされた状態の前記シート本体を横倒しの姿勢に跳ね上げ可能な横跳ね上げ機構と、
を備え、
前記横跳ね上げ機構は、シート幅方向に並んで配置され、各々の両端部が前記架設部材及び前記シートクッションに対してそれぞれシート前後方向の軸線回りに回転可能に連結された左右一対のリンクを有し、
前記左右一対のリンクは、前記架設部材の下面に固定された連結ブラケットに連結されている車両用シート。
【請求項２】
前記一対のスライドレールは、車両の運転席の側方で車体床部に固定され、前記シート本体は、車両の助手席の本体部を構成すると共に、前記シート本体の跳ね上げ状態では、前記シート本体が前記一対のスライドレール間の中央に対して車両幅方向外側に片寄って配置される請求項１に記載の車両用シート。
【請求項３】
前記一対のスライドレールは、車両の運転席の側方で車体床部に固定され、前記シート本体は、車両の助手席の本体部を構成すると共に、前記シート本体の跳ね上げ状態では、前記シート本体が助手席側のサイドミラーよりも車両下方側に配置される請求項１又は請求項２に記載の車両用シート。
【請求項４】
跳ね上げ状態の前記シート本体は、前記架設部材の上方に配置される請求項１〜請求項３の何れか１項に記載の車両用シート。
【発明の詳細な説明】
【技術分野】
【０００１】
本発明は、車両用シートに関する。
【背景技術】
【０００２】
下記特許文献１には、自動車に搭載される横跳ね上げ式のスペースアップシートが記載されている。このスペースアップシートは、ホイールハウスの側方に配置されており、シートクッションの車両幅方向外側の端部が、ホイールハウスの上面側に取り付けられた第１枢支具（横跳ね上げ機構）に連結されている。この横跳ね上げ機構は、車両前後方向に延びる枢支軸を備えており、当該枢支軸回りにシートクッションを車両幅方向外側かつ上方側へ回動させると、シートクッションが横倒しの姿勢に跳ね上げられてホイールハウスの上方に収納される。これにより、車室に荷物置きなどの所望のスペースを確保するようにしている。
【先行技術文献】
【特許文献】
【０００３】
【特許文献１】特許第３１８４０６６号公報
【発明の概要】
【発明が解決しようとする課題】
【０００４】
上記のスペースアップシートでは、シートクッションの横跳ね上げ機構がホイールハウス（車体側部）に取り付けられた構成になっている。このため、車両のサイドドアの側方に配置される車両用シート（例えば、フロントシート）では、サイドドアが開閉されるため、横跳ね上げ機構をサイドドアに設置することができず、上記スペースアップシートの構成を採用することができない。
【０００５】
本発明は上記事実を考慮し、車両のサイドドアの側方にシート本体が配置される場合でも、シート本体を横跳ね上げ式に収納可能な車両用シートを得ることを目的とする。
【課題を解決するための手段】
【０００６】
請求項１に記載の発明に係る車両用シートは、シートバックをシートクッション上に前倒し可能とされたシート本体と、前記シートクッションを車体床部に対してシート前後方向にスライドさせるための左右一対のスライドレールと、前記一対のスライドレール間に架け渡された架設部材と、前記架設部材に取り付けられると共に、前記シートクッションと連結され、前記シートバックが前倒しされた状態の前記シート本体を横倒しの姿勢に跳ね上げ可能な横跳ね上げ機構と、を備え、前記横跳ね上げ機構は、シート幅方向に並んで配置され、各々の両端部が前記架設部材及び前記シートクッションに対してそれぞれシート前後方向の軸線回りに回転可能に連結された左右一対のリンクを有し、前記左右一対のリンクは、前記架設部材の下面に固定された連結ブラケットに連結されている。
【０００７】
請求項１に記載の車両用シートでは、シート本体のシートクッションを車体床部に対してシート前後方向にスライドさせるための左右一対のスライドレール間に、架設部材が架け渡されている。この架設部材には、横跳ね上げ機構が取り付けられている。この横跳ね上げ機構は、シートクッションと連結されており、シートバックがシートクッション上に前倒しされた状態のシート本体を、横倒しの姿勢に跳ね上げ可能とされている。このように、本発明では、横跳ね上げ機構が、一対のスライドレール間に架け渡された架設部材に取り付けられている。これにより、車両のサイドドアの側方にシート本体が配置される場合でも、横跳ね上げ機構を設置することができるため、シート本体の横跳ね上げ式の収納が可能になる。
【０００９】
また、この車両用シートでは、横跳ね上げ機構が左右一対のリンクを有している。一対のリンクは、シート幅方向に並んで配置されており、各々の両端部が架設部材及びシートクッションに対してそれぞれシート前後方向の軸線回りに回転可能に連結されている。これらのリンクが架設部材及びシートクッションに対して回動することにより、シート本体の跳ね上げが案内される。しかも、架設部材及びシートクッションに対する一対のリンクの連結位置や一対のリンクの寸法などの設定により、シート本体の跳ね上げ位置を調整することができるので、シート本体の跳ね上げ位置の設定の自由度を向上させることができる。
【００１０】
請求項２に記載の発明に係る車両用シートは、請求項１において、前記一対のスライドレールは、車両の運転席の側方で車体床部に固定され、前記シート本体は、車両の助手席の本体部を構成すると共に、前記シート本体の跳ね上げ状態では、前記シート本体が前記一対のスライドレール間の中央に対して車両幅方向外側に片寄って配置される。
【００１１】
請求項２に記載の車両用シートによれば、車両の助手席の本体部を構成するシート本体が跳ね上げられた状態では、当該シート本体が左右のスライドレール間の中央に対して車両幅方向外側に片寄って配置される。これにより、例えば、跳ね上げられたシート本体と運転席との間に、乗員が移動可能なスペース（所謂ウォークスルー用のスペース）や、荷物置きなどに利用可能なマルチスペースを形成することができる。
【００１２】
請求項３に記載の発明に係る車両用シートは、請求項１又は請求項２において、前記一対のスライドレールは、車両の運転席の側方で車体床部に固定され、前記シート本体は、車両の助手席の本体部を構成すると共に、前記シート本体の跳ね上げ状態では、前記シート本体が助手席側のサイドミラーよりも車両下方側に配置される。
【００１３】
請求項３に記載の車両用シートによれば、車両の助手席の本体部を構成するシート本体が跳ね上げられた状態では、当該シート本体が助手席側のサイドミラーよりも車両下方側に配置される。これにより、跳ね上げられたシート本体が、運転者における助手席側の側方視界の妨げにならないようにすることができる。
請求項４に記載の発明に係る車両用シートは、請求項１〜請求項３の何れか１項において、跳ね上げ状態の前記シート本体は、前記架設部材の上方に配置される。
【発明の効果】
【００１４】
以上説明したように、本発明に係る車両用シートによれば、車両のサイドドアの側方にシート本体が配置される場合でも、シート本体を横跳ね上げ式に収納可能である。
【図面の簡単な説明】
【００１５】
【図１】本発明の第１実施形態に係る車両用シートが搭載された車両の部分的な構成を示す、車両前方側から見た垂直断面図であり、同車両用シートのシートバックがシートクッション上に前倒しされた状態を示す図である。
【図２】図１に示される車両用シートを拡大して示す正面図である。
【図３】同車両用シートにおいて、シート本体が跳ね上げられている途中の状態を示す図２に対応した正面図である。
【図４】同車両用シートにおいて、シート本体の跳ね上げが完了した状態を示す図２及び図３に対応した正面図である。
【図５】同車両の平断面図であり、シート本体の跳ね上げによって形成されるウォークスルー用のスペースについて説明するための図である。
【図６】同車両の平断面図であり、シート本体の跳ね上げによって形成されるマルチスペースについて説明するための図である。
【図７Ａ】第１実施形態の変形例に係る車両用シートにおいて、シートバックがシートクッション上に前倒しされた状態を示す正面図である。
【図７Ｂ】変形例に係る車両用シートにおいて、シート本体が跳ね上げられている途中の状態を示す正面図である。
【図７Ｃ】変形例に係る車両用シートにおいて、シート本体の跳ね上げが完了した状態を示す正面図である。
【図８Ａ】本発明の第２実施形態に係る車両用シートにおいて、シートバックがシートクッション上に前倒しされた状態を示す正面図である。
【図８Ｂ】第２実施形態に係る車両用シートにおいて、シート本体の跳ね上げが完了した状態を示す正面図である。
【発明を実施するための形態】
【００１６】
＜第１の実施形態＞
以下、図１〜図６を用いて、本発明の第１実施形態に係る車両用シート１０について説明する。なお、各図中に適宜示される矢印ＦＲは車両前方を示し、矢印ＬＨ（ＯＵＴ）は車両左方（車両幅方向外方）を示し、矢印ＵＰは車両上方を示している。以下、単に前後、左右、上下の方向を用いて説明する場合は、特に断りのない限り、車両前後方向の前後、車両左右方向（車両幅方向）の左右、車両上下方向の上下を示すものとする。
【００１７】
（構成）
図１に示されるように、本実施形態に係る車両用シート１０は、車両（自動車）１１の車室１２内の左側に配置されている。この車両用シート１０は、本実施形態では助手席とされており、運転席である別の車両用シート１４（以下、「運転席１４」と称する）と、車両左側のフロントサイドドア１５との間に配置されている。この車両用シート１０の前後方向、左右方向（幅方向）、及び上下方向は、車両の前後左右上下の方向と一致している。なお、図１においては、運転者に符号Ｄを付している。また、図１では、図面を見易くする関係から符号を一部省略している。
【００１８】
この車両用シート１０は、図１〜図４に示されるように、本体部であるシート本体１６と、左右一対のスライドレール１８と、前後一対のスライドメンバ２０（図１〜図４では後側のスライドメンバ２０は図示省略）と、横跳ね上げ機構２２とを備えており、横跳ね上げ式に収納可能とされている。上記のスライドメンバ２０は、本発明の「架設部材」に相当する。以下、上記各構成要素について説明する。
【００１９】
シート本体１６は、乗員が着座するシートクッション２４と、シートクッション２４の後端部に連結され、乗員の背凭れとなるシートバック２６と、シートクッション２４の上端部に連結され、乗員の頭部を支持するヘッドレスト２８とを有している。シートバック２６は、下端部が図示しない周知のリクライニング機構を介してシートクッション２４の後端部に連結されている。これにより、シートバック２６は、図２に二点鎖線で示される起立位置から車両後方側へリクライニング可能とされると共に、図２に実線で示されるようにシートクッション２４上に前倒し可能とされている。
【００２０】
シートクッション２４の下端部における幅方向一端部（右端部）には、折り畳み式の脚部３０が設けられている。この脚部３０は、シートクッション２４の骨格部材であるクッションフレーム３２に対して車両前後方向に沿った支軸３４回りに回転可能に連結されており、シートクッション２４の下方側へ突出する突出位置（図１〜図３に示される位置）と、シートクッション２４の内側に格納される格納位置（図４に示される位置）との間でクッションフレーム３２に対して回動可能とされている。この脚部３０の下端側には、図示しない前後一対のラッチを備えたロック機構３６が組み込まれている。
【００２１】
左右一対のスライドレール１８は、それぞれ車両前後方向を長手とする長尺状に形成されており、シート本体１６の下方（運転席１４の側方）において車両幅方向に並んで配置されている。これらのスライドレール１８は、図２〜図４に示されるように、それぞれがロアレール４０とアッパレール３８とを備えている。ロアレール４０及びアッパレール３８は、何れも車両前後方向を長手とする長尺状に形成されている。ロアレール４０は、長手方向両端部が図示しないブラケットを介して車体床部４４（図１以外では図示省略）に固定されている。アッパレール３８は、ロアレール４０に対して車両前後方向にスライド可能に支持されており、図示しないロック機構のロックが解除されることにより、ロアレール４０に対するスライドを許容される構成になっている。
【００２２】
前後一対のスライドメンバ２０は、それぞれ車両幅方向を長手とする長尺状に形成されており、左右のスライドレール１８とシート本体１６との間において車両前後方向に並んで配置されている。これらのスライドメンバ２０は、例えば金属によって形成されており、車両幅方向から見た断面形状が上方側に開口した断面略Ｕ字状（断面略コ字状）をなしている。なお、スライドメンバ２０の断面形状は上記に限らず、適宜変更可能である。例えば、スライドメンバ２０が角筒状に形成された構成にしてもよい。
【００２３】
前側のスライドメンバ２０は、左右のスライドレール１８の各アッパレール３８における前部間に架け渡されており、長手方向両端部が各アッパレール３８の前端部に対してボルト締結等の手段により固定されている。また、後側のスライドメンバ２０（図示省略）は、左右のスライドレール１８の各アッパレール３８における後部間に架け渡されており、長手方向両端部が各アッパレール３８の後端部に対してボルト締結等の手段により固定されている。
【００２４】
前後のスライドメンバ２０における長手方向一端部（ここでは右端部）には、それぞれストライカ４２が固定されている。これらのストライカ４２は、例えば金属製の棒材が略コ字状に曲げ加工されて形成されたものであり、両端部が溶接等の手段によって各スライドメンバ２０に固定されている。これらのストライカ４２は、前述したロック機構３６に対応している。なお、ストライカ４２はスライドメンバ２０に限らず、アッパーレール３８より上側であればどこに設けてもよい。
【００２５】
横跳ね上げ機構２２は、前後一対のリンク機構４６（図１〜図３では後側のリンク機構４６は図示省略）によって構成されている。前後のリンク機構４６は、クッションフレーム３２の左端部における前後両端部にそれぞれ設けられた前後一対の連結部３２Ａ（図１〜図３では後側の連結部３２Ａは図示省略）と、前後のスライドメンバ２０とをそれぞれ連結している。なお、前後のリンク機構４６は、基本的に同様の構成とされているため、以下の記載においては、主に前側のリンク機構４６について説明し、後側のリンク機構４６についての説明を簡略化する。
【００２６】
前側のリンク機構４６は、左右一対のリンク４８、５０を備えている。これらのリンク４８、５０は、例えば金属によって長尺板状に形成されている。左側のリンク４８は、右側のリンク５０に対して車両前方側にオフセットして配置されている。また、前側のリンク機構４６は、左右一対の連結ブラケット５２、５４を備えている。これらの連結ブラケット５２、５４は、例えば金属板がプレス成形されることにより形成されており、前側のスライドメンバ２０の下方において左右のスライドレール１８の間に配置されている。これらの連結ブラケット５２、５４は、溶接又はボルト締結等の手段によって前側のスライドメンバ２０における長手方向中間部の下面に固定されている。
【００２７】
左右のリンク４８、５０の長手方向一端部（下端部）は、それぞれ連結軸５６、５８によって左右の連結ブラケット５２、５４に連結されている。また、左右のリンク４８、５０の長手方向他端部（上端部）は、それぞれ連結軸６０、６２によってクッションフレーム３２の前側の連結部３２Ａに連結されている。上記の連結軸５６、５８、６０、６２は、何れも軸線方向が車両前後方向に沿っており、左右のリンク４８、５０は、クッションフレーム３２及び前側のスライドメンバ２０に対して車両前後方向（シート前後方向）に沿った軸線回りに回転可能とされている。
【００２８】
なお、図示しない後側のリンク機構４６においては、後側のスライドメンバ２０の下面に固定された左右の連結ブラケット５２、５４と、クッションフレーム３２の後側の連結部３２Ａとの間に左右のリンク４８、５０が架け渡されており、上記同様の連結軸５６、５８、６０、６２によって、左右のリンク４８、５０が左右の連結ブラケット５２、５４及び後側の連結部３２Ａに回転可能に連結されている。
【００２９】
上記構成の車両用シート１０では、通常は、シートクッション２４が図２に示される通常使用位置に配置され、シートバック２６が図２に二点鎖線で示される起立位置に配置される。この状態（通常状態）では、シートクッション２４の脚部３０が突出位置に配置され、脚部３０に組み込まれたロック機構３６の前後のラッチが、前後のスライドメンバ２０に固定された前後のストライカ４２と係合する。これにより、シートクッション２４が通常使用位置に拘束される。またこの通常状態では、左右のリンク４８、５０が左右の連結ブラケット５２、５４から車両上方側かつ車両幅方向外側へ延びる姿勢になり、連結軸６０が連結軸６２に対して車両上方側かつ車両幅方向外側に配置される。この状態では、クッションフレーム３２及び左右の連結ブラケット５２、５４のうちの少なくとも一方に設けられた図示しない第１ストッパ部と、左右のリンク４８、５０とが係合（当接）する。これにより、図２の矢印Ｒ１方向への左右のリンク４８、５０の回動が規制されるように構成されている。
【００３０】
この車両用シート１０が跳ね上げられる際には、先ず、シートバック２６が図２に実線で示されるようにシートクッション２４上に前倒しされる。次いで、上記のロック機構３６に設けられた図示しないロック解除部（解除ボタン、解除レバー等）が操作されることにより、ロック機構３６の前後のラッチと前後のストライカ４２との係合が解除される。この状態で、シート本体１６の幅方向一側（車両幅方向内側）の側部が車両上方側へ持ち上げられると、図３に示されるように、左右のリンク４８、５０が車両幅方向内側へ回動しつつ、シート本体１６の跳ね上げ（回動）を案内する。この際には、シート本体１６は、前後の連結部３２Ａを車両幅方向内側へ変位させつつ、前後の連結部３２Ａを回動の支点として車両上方側かつ車両幅方向外側へ跳ね上げられる。
【００３１】
そして、シート本体１６が図４に示される跳ね上げ位置に到達すると、クッションフレーム３２及び左右の連結ブラケット５２、５４のうちの少なくとも一方に設けられた図示しない第２ストッパ部と、左右のリンク４８、５０とが係合（当接）する。これにより、図４の矢印Ｒ２方向への左右のリンク４８、５０の回動が規制される。この状態では、シート本体１６の重さが、左右のリンク４８、５０を上記の第２ストッパ部に押し付けるように作用する。これにより、図４の矢印Ｒ２方向への左右のリンク４８、５０の不用意な回動が規制され、シート本体１６が跳ね上げ位置に保持される。そして、シートクッション２４の脚部３０が、図４に示されるように格納位置へ回動されると、シート本体１６の収納が完了する。なお、シート本体１６が跳ね上げ位置に位置する状態で左右のリンク４８、５０の回動を規制するロック機構を、シートクッション２４の前後の連結部３２Ａ等に設ける構成にしてもよい。
【００３２】
上記のようにシート本体１６が跳ね上げられた状態（跳ね上げ状態）では、左右のリンク４８、５０が左右の連結ブラケット５２、５４から車両上方側かつ車両幅方向内側へ延びる姿勢になり、連結軸６２が連結軸６０に対して車両上方側かつ車両幅方向内側に配置される。またこの跳ね上げ状態では、シートクッション２４がシートバック２６に対して車両幅方向内側に配置され、シートクッション２４の底面が運転席１４の側を向くように構成されている。またこの跳ね上げ状態では、シート本体１６が左右のスライドレール１８間の中央（図４の一点鎖線ＣＬ参照）に対して車両幅方向外側に片寄って配置されると共に、シート本体１６が、助手席側のサイドミラー６６（図１参照）よりも下方側に配置されるように構成されている。
【００３３】
なお、本実施形態では、上述した通常状態及び跳ね上げ状態の何れの状態においても、左右のスライドレール１８によって、シート本体１６の前後位置の調整を行うことができる構成になっている。
【００３４】
（作用及び効果）
次に、本実施形態の作用及び効果について説明する。
【００３５】
上記構成の車両用シート１０では、シート本体１６のシートクッション２４を車体床部４４に対してシート前後方向にスライド可能に連結した左右のスライドレール１８間に、前後のスライドメンバ２０が架け渡されている。これらのスライドメンバ２０には、横跳ね上げ機構２２を構成する前後のリンク機構４６が取り付けられている。これらのリンク機構４６は、シートクッション２４と連結されており、シートバック２６がシートクッション２４上に前倒しされた状態のシート本体１６を、横倒しの姿勢に跳ね上げ可能とされている。
【００３６】
このように、本実施形態では、シート本体１６を横倒しの姿勢に跳ね上げるための横跳ね上げ機構２２（前後のリンク機構４６）が、左右のスライドレール１８間に架け渡された前後のスライドメンバ２０に取り付けられた構成になっている。これにより、フロントサイドドア１５の側方にシート本体１６が配置された構成であっても、フロントサイドドア１５とは独立して横跳ね上げ機構２２を設置することができるため、シート本体１６の横跳ね上げ式の収納が可能になる。しかも、前後のスライドメンバ２０が、左右のスライドレール１８の各アッパレール３８に固定されているため、左右のスライドレール１８によるシート本体１６の前後位置の調整と、シート本体１６の横跳ね上げ式の収納とを両立することができる。
【００３７】
また、本実施形態では、横跳ね上げ機構２２を構成する前後のリンク機構４６が、左右一対のリンク４８、５０を有している。左右のリンク４８、５０は、シート幅方向に並んで配置されており、各々の長手方向両端部がスライドメンバ２０及びシートクッション２４のクッションフレーム３２に対してそれぞれシート前後方向の軸線回りに回転可能に連結されている。これらのリンク４８、５０がスライドメンバ２０及びシートクッション２４に対して回動することにより、シート本体１６の跳ね上げが案内される。しかも、スライドメンバ２０及びシートクッション２４に対する左右のリンク４８、５０の連結位置や左右のリンク４８、５０の寸法などの設定により、シート本体１６の跳ね上げ位置を調整（設定変更）することができるので、シート本体１６の跳ね上げ位置の設定の自由度を向上させることができる。
【００３８】
例えば、本実施形態のように、跳ね上げられたシート本体１６が助手席側のサイドミラー６６よりも車両下方側に配置されるように、シート本体１６の跳ね上げ位置を低く設定することができる。これにより、図１に示されるように、跳ね上げられたシート本体１６が、運転者Ｄにおける助手席側の側方視界（図１の一点鎖線ＳＶ参照）の妨げにならないようにすることができる。
【００３９】
また、本実施形態では、シート本体１６の跳ね上げの際に左右のリンク４８、５０が車両幅方向内側へ回動することにより、シート本体１６の連結部３２Ａが車両幅方向内側（シート本体１６が跳ね上げられる側とは反対側）へ変位する。これにより、跳ね上げられたシート本体１６がフロントサイドドア１５に対して干渉することを簡単な構成で防止できる。しかも、シート本体１６を跳ね上げる乗員は、シート本体１６の車両幅方向内側の側部を持ち上げるだけでよいため、跳ね上げ操作が容易である。
【００４０】
また、本実施形態では、シート本体１６が跳ね上げられた状態では、当該シート本体１６が左右のスライドレール１８間の中央ＣＬ（図４参照）に対して車両幅方向外側に片寄って配置される。これにより、跳ね上げられたシート本体１６と、運転席１４との間に、乗員が移動可能なウォークスルー用のスペース（図５の矢印ＷＴ参照）や、カバン６８（図６参照）などの荷物を置くためのマルチスペースを形成することができる。これにより、乗員の利便性を向上させることができる（なお、図５及び図６においては、車両１１の後部座席に符号７０を付している）。
【００４１】
特に、車両幅方向の寸法に制限がある軽自動車では、小型車等に採用されている、後部座席７０と運転席１４との間でのウォークスルーを採用することができなかったが、本実施形態によれば、軽自動車においても後部座席７０と運転席１４との間でのウォークスルーが可能となる。これにより、例えば、雨の日に母親等がチャイルドシートを使用する場合の利便性を向上させることができる。つまり、ウォークスルーができない従来の軽自動車では、母親等は、後部座席７０に取り付けられたチャイルドシート（図示省略）に子供を座らせた後で、一旦車外に出なければ運転席１４に向かうことができないため、雨に濡れてしまう。この点、本実施形態では、車外に出ることなく運転席１４と後部座席７０とを行き来できるため、雨に濡れる心配がなく、好適である。
【００４２】
さらに、本実施形態では、シート本体１６の跳ね上げの際に、シート本体１６の車両幅方向内側の側部が車両上方側へ持ち上げられる。これにより、シート本体１６の跳ね上げ操作を、運転席１４の側から行う際の操作性を良好にすることができる。また、シート本体１６が跳ね上げられた状態では、シートクッション２４がシートバック２６に対して車両幅方向内側に配置され、シートクッション２４の底面が運転席１４側を向く。これにより、運転席１４の側から脚部３０を畳む際の操作性を良好にすることができる。
【００４３】
なお、上記第１実施形態では、シート本体１６の跳ね上げの際に、シート本体１６の車両幅方向内側の側部が車両上方側へ持ち上げられる構成にしたが、本発明はこれに限るものではない。つまり、図７Ａ〜図７Ｃに示される車両用シート８０（変形例）のように、シート本体１６の跳ね上げの際に、シート本体１６の車両幅方向外側の側部が車両上方側へ持ち上げられる構成にしてもよい。この車両用シート８０では、横跳ね上げ機構２２、脚部３０、及びストライカ４２が、第１実施形態に係る車両用シート１０とは左右対称の配置及び構造になっている。それ以外の構成は、第１実施形態と同様である。
【００４４】
この車両用シート８０では、シート本体１６の跳ね上げ状態において、シートクッション２４がシートバック２６に対して車両幅方向外側に配置されるため、シートクッション２４の底面が運転席１４側に露出しないようにすることができる。これにより、シートクッション２４の底面の見栄えを向上させるためのカバー部材の設定や、所謂内突要件（車両用内装部品の安全基準：ＥＣＥ２１）を満たすための構成が不必要になり、好適である。
【００４５】
また、上記第１実施形態では、跳ね上げられたシート本体１６が、左右のスライドレール１８間の中央ＣＬに対して車両幅方向外側に片寄って配置される構成にしたが、本発明はこれに限るものではない。すなわち、跳ね上げられたシート本体１６が、左右のスライドレール１８間の中央ＣＬに対して車両幅方向内側に片寄って配置される構成にしてもよく、跳ね上げ状態のシート本体１６における車両幅方向の配置は適宜変更することができる。
【００４６】
＜第２の実施形態＞
次に、本発明の第２の実施形態について説明する。なお、前記第１実施形態と基本的に同様の構成及び作用については、前記第１実施形態と同符号を付与しその説明を省略する。また、この第２の実施形態は、参考例とする。
【００４７】
図８Ａには、本発明の第２実施形態に係る車両用シート９０において、シートバック２６がシートクッション２４上に前倒しされた状態が正面図にて示されている。また、図８Ｂには、この車両用シート９０において、シート本体１６の跳ね上げが完了した状態が正面図にて示されている。この車両用シート９０は、前記第１実施形態に係る横跳ね上げ機構２２とは異なる横跳ね上げ機構９２を備えているが、それ以外の構成は、前記第１実施形態に係る車両用シート１０と同様とされている。
【００４８】
横跳ね上げ機構９２は、前後のスライドメンバ２０に対して車両幅方向にスライド可能に取り付けられた前後のスライド部材９４（後側のスライド部材９４は図示省略）を備えている。前後のスライド部材９４は、前後のスライドメンバ２０に対して図８Ａに示される外側位置と、図８Ｂに示される内側位置との間でスライド可能とされている。また、この横跳ね上げ機構９２は、前後のスライド部材９４から車両上方側へ延びる前後の回動支持部９６（後側の回動支持部９６は図示省略）と、前後の回動支持部９６の上端部に対してシートクッション２４の前後の連結部３２Ａをそれぞれ連結した前後の連結軸９８（後側の連結軸９８は図示省略）とを備えている。
【００４９】
前後の連結軸９８は、軸線方向が車両前後方向に沿っている。これにより、シート本体１６は、図８Ａに示される通常使用位置から図８Ｂに示される跳ね上げ位置へと跳ね上げ可能とされている。この跳ね上げの際には、スライド部材９４が外側位置から内側位置へとスライドされることにより、シートクッション２４の連結部３２Ａが車両幅方向内側へ変位される。なお、この跳ね上げ機構９２は、シート本体１６を跳ね上げ位置に拘束すると共に、スライド部材９４を内側位置に拘束するための図示しないロック機構を備えている。
【００５０】
この実施形態においても、前記第１実施形態と同様に、横跳ね上げ機構９２が前後のスライドメンバ２０に取り付けられている。これにより、フロントサイドドア１５の側方にシート本体１６が配置される場合でも、横跳ね上げ機構２２を設置することができるため、シート本体１６の横跳ね上げ式の収納が可能になる。
【００５１】
＜実施形態の補足説明＞
上記各実施形態及び変形例では、車両用シート１０、８０、９０が車両の助手席である場合について説明したが、これに限らず、本発明は、ミニバン等の車両の２列目のシート等に対しても適用可能である。
【００５２】
また、上記各実施形態及び変形例では、前後一対のスライドメンバ２０（架設部材）を備えた構成にしたが、本発明はこれに限らず、架設部材を一つだけ備えた構成にしてもよい。その場合、架設部材の車両前後方向（シート前後方向）の寸法を大きく設定することが好ましい。
【００５３】
また、上記第１実施形態では、跳ね上げ機構２２が前後一対のリンク機構４６を備えた構成にしたが、本発明はこれに限らず、跳ね上げ機構２２がリンク機構４６を一つだけ備えた構成にしてもよい。その場合、当該一つのリンク機構４６において、リンク４８、５０の車両前後方向（シート前後方向）の寸法を大きく設定することが好ましい。この点は、第２実施形態に係る跳ね上げ機構９２においても同様である。
【００５４】
その他、本発明は、その要旨を逸脱しない範囲で種々変更して実施できる。また、本発明の権利範囲が上記各実施形態及び変形例に限定されないことは勿論である。
【符号の説明】
【００５５】
１０      車両用シート
１１      車両
１４      運転席
１６      シート本体
１８      スライドレール
２０      スライドメンバ
２２      跳ね上げ機構
２４      シートクッション
２６      シートバック
４４      車体床部
４８、５０      リンク
６６      サイドミラー
８０      車両用シート
９０      車両用シート
９２      跳ね上げ機構
Ｄ        運転者
ＣＬ      左右一対のスライドレールの中央
【図１】
0006537384.tif 000002
【図２】
0006537384.tif 000003
【図３】
0006537384.tif 000004
【図４】
0006537384.tif 000005
【図５】
0006537384.tif 000006
【図６】
0006537384.tif 000007
【図７Ａ】
0006537384.tif 000008
【図７Ｂ】
0006537384.tif 000009
【図７Ｃ】
0006537384.tif 000010
【図８Ａ】
0006537384.tif 000011
【図８Ｂ】
0006537384.tif 000012